(57)【特許請求の範囲】
【請求項１】
フレキシブルディスクに格納されたデータを読み取るデータ読取手段と、
該データ読取手段が読み取ったフレキシブルディスクのデータと共に、該フレキシブルディスクの種類をフレキシブルディスク管理データとしてファクシミリ手順を用いて送信するデータ送信手段と、
着呼により、受信可能状態かどうかを表す受信能力データを発呼側のファクシミリ装置に送信する受信能力データ送信手段と、
受信した、少なくとも１枚分のフレキシブルディスクのデータを記憶するデータ記憶手段と、
該データ記憶手段に記憶されたフレキシブルディスクのデータを記憶可能なフレキシブルディスクに書き込むデータ書込手段と、
着呼により、発呼側のファクシミリ装置から受信したフレキシブルディスク管理データのフレキシブルディスクの種類情報を記録紙上に記録可能な管理データ記録手段と、
着呼により、発呼側のファクシミリ装置から受信したフレキシブルディスク管理データのフレキシブルディスクの種類情報を表示可能な表示手段と、
前記フレキシブルディスクの種類情報を前記管理データ記録手段に出力するか、前記表示手段に出力するかを選択する選択手段と、
を備えたフレキシブルディスクデータ転送機能付きファクシミリ装置。
【発明の詳細な説明】
【０００１】
【産業上の利用分野】
本発明はフレキシブルディスクに格納されたデータを読み取り、公衆回線を介して他のファクシミリ装置に送信して、該ファクシミリ装置が搭載する転写用フレキシブルディスクに転写させることが可能なフレキシブルディスクデータ転送機能付きファクシミリ装置に関する。
【０００２】
【従来の技術】
所謂、ＯＡ化、ＦＡ化の進展に伴って、設計情報、管理情報、伝達情報等の各種情報が磁気テープ（ＭＴ）やハードディスク（ＨＤ）に格納され、必要に応じてそれらを読み出して、接続された記録装置により記録紙上に記録させたり、回線を介して他の記憶装置に転送させたりすることにより、情報を即時に、かつ、即座に取り出すことが可能になると共に、編集や合成等の情報加工も容易に行えるようになった。
ところで、用地取得や人材確保の困難性等のために、工場や設計基地が遠隔地に分散配置されるようになり、例えば、デザインセンターのＣＡＤにより設計された設計情報、工場で使用されるＣＡＭの操作情報、ＯＡ機器に搭載されたパソコンやワープロにより作成されたデータや文書等の情報が遠隔地にある工場と社屋事務室間で互いに転送される機会が増加してきた。
各種情報が格納されたＭＴやＨＤは自動車により運送されたり、専用回線を用いて転送されていた。一方、パソコンやワープロのフレキシブルディスク（ＦＤ）のデータは専用回線を用いて転送する程、データ量が多くないため、公衆回線を利用する簡易なＦＤ転送装置が開発され、用いられるようになった。
【０００３】
【発明が解決しようとする課題】
しかし、このＦＤ転送装置は専らＦＤのデータ転送に用いられる専用機であるため、高価であり、日常的にデータ転送の機会が多い場合はともかく、時々、データ転送を行う機会がある場合は対費用効率が悪く、一般的に普及するまでには至っていない。多くの操作者がＦＤ転送装置を共有することにより、対費用効率を向上させることも考えられるが、階が異なる事務室等、離れた場所で執務する操作者がデータ転送のために移動したり、データ転送されたＦＤを該当者に届ける手間が煩わしい。
本発明は従来技術におけるかかる課題を解決しようとするものであり、データ転送されたＦＤ情報と通常のＦＡＸ情報がメモリ内に蓄えられた時、それらを容易に選別し得るようにしたＦＤ転送機能付きＦＡＸ装置を提供することを目的とする。
【０００４】
【課題を解決するための手段】
本発明は上記課題を解決するために、フレキシブルディスクに格納されたデータを読み取るデータ読取手段と、該データ読取手段が読み取ったフレキシブルディスクのデータと共に、該フレキシブルディスクの種類をフレキシブルディスク管理データとしてファクシミリ手順を用いて送信するデータ送信手段と、着呼により、受信可能状態かどうかを表す受信能力データを発呼側のファクシミリ装置に送信する受信能力データ送信手段と、受信した、少なくとも１枚分のフレキシブルディスクのデータを記憶するデータ記憶手段と、該データ記憶手段に記憶されたフレキシブルディスクのデータを記憶可能なフレキシブルディスクに書き込むデータ書込手段を備え、さらに、着呼により、発呼側のファクシミリ装置から受信したフレキシブルディスク管理データのフレキシブルディスクの種類情報を記録紙上に記録可能な管理データ記録手段と、着呼により、発呼側のファクシミリ装置から受信したフレキシブルディスク管理データのフレキシブルディスクの種類情報を表示可能な表示手段と、前記フレキシブルディスクの種類情報を前記管理データ記録手段に出力するか、前記表示手段に出力するかを選択する選択手段とを備えたことを特徴とする。
【０００５】
【作用】
着呼により回線が接続された受信側のファクシミリ装置は送信側のファクシミリ装置から送信された宛名および発信者名のコードデータをまず受信し、次に、フレキシブルディスクの種類情報およびフレキシブルディスクに格納された情報を受信して内蔵されたデータ記憶手段に格納する。送信された全ての情報の受信が終了すると、受信側のファクシミリ装置はＣＰＵの指令により、データ記憶手段に格納された受信した宛名および発信者名を読み出し、ラスタースキャン画像データに変換して、例えば、プロッターで記録紙上に記録出力する。キーボードにはフレキシブルディスク受信情報をプロッターによりフレキシブルディスク受信通知レポートとして記録出力するか、表示器に表示するか選択するための選択スイッチが設けられており、操作者はいずれかを任意に選択可能である。
【０００６】
【実施例】
以下、本発明の一実施例を図面を参照して詳細に説明する。
図１は本発明の実施例に係るファクシミリ（ＦＡＸ）装置の概略構成を示すブロック図である。図に示すように、ＦＡＸ装置は原稿を読み取るスキャナー１、通信情報等を出力するためのプロッター２、読み取った画像信号を符号化したり復号化する符号圧縮再生回路３、通信情報等を表示するための表示器４、操作情報を入力するためのキーボード５、装置全体を制御するＣＰＵ６、固定情報を格納するＲＯＭ７、画像データを一時的に格納するＲＡＭ８、大容量外部記憶装置としてのハードディスク（ＨＤ）９、情報源としての、または外部ＦＡＸ装置からの情報を格納するためのフレキシブルディスク（ＦＤ）１０、通信回線を介して外部ＦＡＸ装置との交信を行う通信ユニット１１およびこれらの装置群を通信接続する内部バスで構成されている。このように、実施例のユニット構成は従来のＦＡＸ装置とはＨＤ９およびＦＤ１０を備えた点で異なっているだけである。
【０００７】
図２は送信側  （ａ）および受信側  （ｂ）のＦＡＸ装置の操作および動作を示す流れ図である。図に従って、実施例に係るＦＡＸ装置の動作を説明する。
まず、ＦＡＸ装置の据え付け時等に、操作者がキーボード５を操作して、その上のワンタッチ釦あるいは短縮釦に対応させて宛名および宛先電話番号を予め登録する。ＦＤの情報を送信する時は、送信する情報を格納したＦＤ１０を所定の場所にセットし（Ｓ−１１）、キーボード５の読取釦を操作することにより、ＦＤ１０に格納された情報を読み取って、一旦、ＨＤ９に記憶させる（Ｓ−１２）。このＦＤ１０の読み取り動作の際に、ＦＤ１０の種類（大きさ：３．５  インチ／５．２５インチ；密度：２ＤＤ／２ＨＤ；枚数）が判定され、このＦＤの種類情報に引き続いてＦＤ１０に格納された情報がＨＤ９に格納される。
続いて、操作者がキーボード５上のワンタッチ釦あるいは短縮釦を押下すると（Ｓ−１３）、押下されたワンタッチ釦あるいは短縮釦に対応した宛先電話番号の発呼が行われる（Ｓ−１４）。呼び出された宛先のＦＡＸ装置が着呼して回線が接続されると（Ｓ−２４）、まず、予め発呼側のＦＡＸ装置でＪＩＳコード等により登録して置いた宛名および発信者名のコードデータが送信され（Ｓ−１５，Ｓ−１６）、引き続いてＦＤの種類情報が送信される。着呼側のＦＡＸ装置がＦＤの種類情報を受信すると、着呼側のＦＡＸ装置からＨＤ（９）を内蔵していて受信可能であることを示す受信能力情報が返信される。発呼側のＦＡＸ装置が着呼側のＦＡＸ装置から返信された受信能力情報を受信すると、ＦＤ１０に格納されたＦＤ情報が着呼側のＦＡＸ装置に送信される（Ｓ−１７）。
【０００８】
着呼により回線が接続された受信側のＦＡＸ装置は送信側のＦＡＸ装置から送信された宛名および発信者名のコードデータをまず受信し（Ｓ−２５，Ｓ−２６）、次に、ＦＤの種類情報およびＦＤ１０に格納された情報を受信して内蔵されたＨＤ（９）に格納する（Ｓ−２７）。送信された全ての情報の受信が終了すると、受信側のＦＡＸ装置はＣＰＵ（６）の指令により、ＨＤ（９）に格納された受信した宛名および発信者名を読み出し、ラスタースキャン画像データに変換して、例えば、図３に一例を示すＦＤ受信通知レポートをプロッター（２）で記録紙上に記録出力する（Ｓ−２８）。
このＦＤの情報の送受信は公知のファクシミリ手順に従って実行される。公知のファクシミリ手順は、図４に示すような発呼局と被呼局との間でやりとりされるＥＣＭ手順に沿って実行される。  
（１）ＮＳＦに受信側の機能を設定して送信側に返信する。受信側にＦＤ情報を受信できる機能がある場合には、ここにビットセットする。  
（２）送信側は受信側にＦＤ情報を受信できる機能があることを認識すると、受信側に送信側から送るモードを指定する。ここで送信側はＦＤ情報を送ることを指定するので、受信側は画情報の代わりにＦＤ情報を受信する準備をする。  
（３）トレーニング、ＴＣＦにより回線のチェックを行い、最適な通信速度を選択する。  
（４）トレーニング時のエラー情報が通信しても問題ないレベルに到達すると、受信側からＣＦＲを返す（もし、問題があればＥＴＴを返す）。  
（５）送信側はＦＤ情報を送信する。  
（６）受信側はＦＤ情報を受信する。  
（７）送信が終了すると次のＦＤ情報があるか、これで終了するかの信号を出す。本実施形態ではこれで終わりなので、ＰＰＳ、ＥＯＳを送る。  
（８）受信側が正しく受けたときにはＭＣＦを返す。  
（９）ＤＣＮを送信して回線を切り、通信を終了する。  
【０００９】
図に示すように、ＦＤ受信通知レポートには、まず、ＦＡＸ装置が内蔵する時計からの時刻情報に従って、ＦＤ情報の受信年月日、時刻が記録され、次に、受信した宛名および発信者名、受信したＦＤ情報に割り当てられたファイル番号、受信したＦＤ（１０）の種類情報、受信したＦＤ（１０）の枚数およびＦＤ（１０）の取り出し方の説明文が記録されている。なお、キーボード（５）にはＦＤ受信情報をプロッター（２）によりＦＤ受信通知レポートとして記録出力するか、表示器（４）に表示するか選択するための選択スイッチが設けられており、操作者はいずれかを任意に選択可能になっている。
受信側のＦＡＸ装置の操作者はプロッター（２）により記録出力されたＦＤ受信通知レポートを見て、あるいは、表示器（４）の表示を見て、転写用のＦＤ（１０）を所定の場所にセットし（Ｓ−２９）、キーボード（５）上のファイル指定キーを操作して、ＦＤ（１０）に転写するＦＤ情報に対応するファイル番号を入力する。ファイル番号が入力されると、ＣＰＵ（６）は指令を発して、送信側のＦＡＸ装置から送信され、ＨＤ（９）に格納されているＦＤ情報をＦＤ（１０）に転写させる（Ｓ−３０）。送信側のＦＡＸ装置からＦＤ複数枚分のＦＤ情報を受信した場合には、そのＦＤ枚数回だけＦＤ（１０）にＦＤ情報の転写を繰り返す。
このように、本実施例ではＦＡＸ装置から送信されるＦＤ情報には、ＦＤ情報に対応するファイル番号、宛名および発信者名の情報が付加されており、プロッター２により記録出力したり、表示器４により表示出力することができるから、ＨＤ９にＦＤ情報と共にＦＡＸ情報が格納されていたり、他の宛先あるいは他の発信者からのＦＤ情報が混在して格納されていても、それらが混同されたり、所望の情報の抽出に手間取ることがない。
【００１０】
【発明の効果】
以上説明したように本発明によれば、データ記憶手段にフレキシブルディスク情報と共
にＦＡＸ情報が格納されていたり、他の宛先あるいは他の発信者からのフレキシブルディ
スク情報が混在して格納されていても、それらが混同されたり、所望の情報の抽出に手間
取ることがない。
【図面の簡単な説明】
【図１】本発明の実施例に係るファクシミリ装置の概略構成を示すブロック図である。
【図２】送信側および受信側のＦＡＸ装置の操作および動作を示す流れ図である。
【図３】ＦＤ受信通知レポートの一例を示す説明図である。
【図４】従来から実施されている公知のファクシミリ手順を示す図である。
【符号の説明】
２  プロッター
３  符号圧縮再生回路
４  表示器
５  キーボード
６  ＣＰＵ
８  ＲＡＭ
９  ハードディスク
１０  フレキシブルディスク
１１  通信ユニット
【図１】
0003589245.tif 000002
【図２】
0003589245.tif 000003
【図３】
0003589245.tif 000004
【図４】
0003589245.tif 000005